(57)【要約】      （修正有）【課題】持ち運びに便利な足裏マッサージ器を提供する。【解決手段】足裏マッサージ器１は、球体５に挿通され球体を回動自在に軸支する棒状の支持軸６と、支持軸を両端で支持する内側支持板部１２Ｒ、Ｌ及び外側支持板部１４Ｒ、Ｌと、内側支持板部及び外側支持板部が立設された底板部１６Ｒ、Ｌとをそれぞれ有し、別体形成されている右足置部１０Ｒ及び左足置部１０Ｌを備え、右足置部及び左足置部を相互に繋ぎ止める繋留手段を更に備え、繋留手段は、持ち運び時に利用者に把持可能で、右足置部及び左足置部それぞれの底板部の下面における内側支持板部が立設されている側の側縁領域の下方に敷設可能な持ち手部２０を含む。【選択図】図２
0003216590.tif 000002
【実用新案登録請求の範囲】
【請求項１】
球体に挿通され該球体を回動自在に軸支する棒状の支持軸と、
前記支持軸を両端で支持する内側支持板部及び外側支持板部と、
前記内側支持板部及び前記外側支持板部が立設された底板部と、
をそれぞれ有し、別体形成されている右足置部及び左足置部を備え、
前記右足置部及び前記左足置部を相互に繋ぎ止める繋留手段を更に備え、
前記繋留手段は、持ち運び時に利用者に把持可能であって、前記右足置部及び前記左足置部それぞれの前記底板部の下面における前記内側支持板部が立設されている側の側縁領域の下方に敷設可能な持ち手部を含む、
足裏マッサージ器。
【請求項２】
前記持ち手部は、前記底板部と同一又は前記底板部よりも厚い厚みを有する、
請求項１に記載の足裏マッサージ器。
【請求項３】
前記繋留手段は、前記右足置部及び前記左足置部を少なくとも閉状態及び開状態にすることができるように、前記持ち手部を前記右足置部及び前記左足置部に接続する持ち手接続部を更に含み、
前記持ち手接続部は、前記右足置部及び前記左足置部の前記底板部の端面若しくは前記内側支持板部の端面にそれぞれ接続されており、
前記閉状態は、前記右足置部及び前記左足置部それぞれの前記底板部の各下面を相互に対向させた状態であり、
前記開状態は、前記右足置部及び前記左足置部を左右に並べた状態である、
請求項１又は２に記載の足裏マッサージ器。
【請求項４】
前記繋留手段は、前記右足置部と前記左足置部とを連結する屈曲自在のヒンジ部を更に含み、
前記ヒンジ部は、前記右足置部及び前記左足置部の前記底板部における前記内側支持板部が立設されている側の側縁部の間に跨設されている、
請求項１から３のいずれか一項に記載の足裏マッサージ器。
【請求項５】
球体に挿通され該球体を回動自在に軸支する棒状の支持軸と、
前記支持軸を両端で支持する内側支持板部及び外側支持板部と、
前記内側支持板部及び前記外側支持板部が立設された底板部と、
をそれぞれ有し、別体形成されている右足置部及び左足置部を備え、
前記右足置部及び前記左足置部を相互に繋ぎ止める繋留手段を更に備え、
前記繋留手段は、前記右足置部と前記左足置部とを連結する屈曲自在のヒンジ部を含み、
前記ヒンジ部は、前記右足置部及び前記左足置部の前記底板部における前記内側支持板部が立設されている側の側縁部の間に跨設されている、
足裏マッサージ器。
【請求項６】
前記右足置部の前記支持軸及び前記左足置部の前記支持軸は、前記右足置部及び前記左足置部を左右に並べて置いた状態において、平面視でハの字状をなすように設けられている、
請求項５に記載の足裏マッサージ器。
【請求項７】
前記ヒンジ部は、前記右足置部及び前記左足置部の前記底板部の下面に接合された一連の可撓性シートである、
請求項４から６のいずれか一項に記載の足裏マッサージ器。
【考案の詳細な説明】
【技術分野】
【０００１】
本考案は、ユーザ自身が足を動かすことで足裏を刺激する足裏マッサージ器に関する。
【背景技術】
【０００２】
足裏のマッサージにより足裏のツボを刺激することにより、臓器や器官の働きを活性化させることができ、冷え症や腰痛の解消、疲労回復などの効果があることが知られている。
下記特許文献１には、外周面が凹凸に形成されたマッサージ体をその外周面が床面に接する状態で床面を転動自在に支持軸に支持させるとともに、その支持軸に柄を取り付けた足裏マッサージ器が開示されている。この足裏マッサージ器によれば、椅子などに腰掛けた楽な姿勢で効果的な施療行為を行うことができる。
【先行技術文献】
【特許文献】
【０００３】
【特許文献１】特開２００６−２１２２５０号公報
【考案の概要】
【考案が解決しようとする課題】
【０００４】
しかしながら、上述の足裏マッサージ器は、持ち運びの利便性については考慮されていない。
本考案は、このような事情に鑑みてなされたものであり、持ち運びに便利な足裏マッサージ器を提供する。
【課題を解決するための手段】
【０００５】
本考案は、上述した課題を解決するために、以下の構成を採用する。
本考案に係る足裏マッサージ器は、球体に挿通されその球体を回動自在に軸支する棒状の支持軸と、その支持軸を両端で支持する内側支持板部及び外側支持板部と、内側支持板部及び外側支持板部が立設された底板部とをそれぞれ有し、別体形成されている右足置部及び左足置部を備え、右足置部及び左足置部を相互に繋ぎ止める繋留手段を更に備え、その繋留手段は、持ち運び時に利用者に把持可能であって、右足置部及び左足置部それぞれの底板部の下面における内側支持板部が立設されている側の側縁領域の下方に敷設可能な持ち手部を含む。
【考案の効果】
【０００６】
本考案によれば、持ち運びに便利な足裏マッサージ器を提供することができる。
【図面の簡単な説明】
【０００７】
【図１】第一実施形態に係るマッサージ器の斜視図である。
【図２】第一実施形態に係るマッサージ器の使用時の一例を示す図である。
【図３】第二実施形態に係るマッサージ器の斜視図である。
【図４】第二実施形態に係るマッサージ器の平面図である。
【図５】第二実施形態に係るマッサージ器の底面図である。
【図６】第二実施形態に係るマッサージ器の折り畳み状態を示す図である。
【図７】第一変形例に係るマッサージ器の平面図である。
【図８】第二変形例に係るマッサージ器の平面図である。
【考案を実施するための形態】
【０００８】
以下、本考案の実施の形態について説明する。なお、以下に挙げる各実施形態はそれぞれ例示であり、本考案は以下の各実施形態の構成に限定されない。
以降、各実施形態に係る足裏マッサージ器を単にマッサージ器と略称する場合もある。
【０００９】
［第一実施形態］
第一実施形態に係る足裏マッサージ器について、図１及び図２を用いて説明する。
図１は、第一実施形態に係るマッサージ器１の斜視図であり、図２は、第一実施形態に係るマッサージ器１の使用時の一例を示す図である。
図１及び図２に示されるように、マッサージ器１は、複数の球体５を回動自在な状態で有しており、球体５上に置かれた足裏に対して球体５で刺激を与えてマッサージを行う。ユーザは、例えば、椅子に座った状態でマッサージ器１を利用して足裏をマッサージすることができる。
更に、本実施形態に係るマッサージ器１は、利用者の好みに応じて、図１に示すような形態で利用されることもできるし、図２に示すような形態で利用されることもできる。このような利用形態の詳細については後述する。
【００１０】
以下の説明では、図１及び図２に示される利用形態に基づいて、各方向を指し示すこととする。具体的には、足裏を置く（当てる）側を上面と表記し、その逆側を下面と表記し、下面から上面の方向を上方向、上面から下面の方向を下方向と表記する。更に、図１及び図２における紙面斜め右上方を前方又は正面方向と表記し、紙面斜め左下方を後方又は背面方向と表記し、前方及び後方又は正面方向及び背面方向に対して左右方向を示すものとする。但し、このように設定した各方向は、マッサージ器１の使用形態を限定するものではない。例えば、水平面に対して傾斜している面にマッサージ器１を置いて使用する場合には、本明細書で表記する上下は重力方向の上下とは一致しない。また、マッサージ器１は、鉛直面に対してその底面が当接した状態で固定されて利用されてもよいし、正面と背面とを逆にして利用されてもよい。
【００１１】
マッサージ器１は、それぞれ別体形成されている右足置部１０Ｒ及び左足置部１０Ｌを備えている。ユーザは、右足置部１０Ｒの上面に露出している球体５上に自身の右足裏を置き、左足置部１０Ｌの上面に露出している球体５上に自身の左足裏を置いて、足裏マッサージを行う。
右足置部１０Ｒは、底板部１６Ｒ、内側支持板部１２Ｒ、及び外側支持板部１４Ｒを有しており、左足置部１０Ｌは、底板部１６Ｌ、内側支持板部１２Ｌ、及び外側支持板部１４Ｌを有している。このように、右足置部１０Ｒ及び左足置部１０Ｌは相互に同じ構成を有しているため、以下では、両者を区別する必要がある場合を除き、Ｒ及びＬを除いた符号を用いて各構成要素を指し示す場合がある。
【００１２】
底板部１６は、方形状の上面及び下面を主面とする板状部材であり、マッサージ器１の土台をなす。本実施形態では、底板部１６の上面及び下面は角丸の略正方形状を有し、上面における左右の各縁辺部に内側支持板部１２及び外側支持板部１４が立設されている。
【００１３】
内側支持板部１２及び外側支持板部１４は、底板部１６に立設された板状部材である。本実施形態では、内側支持板部１２及び外側支持板部１４は、上述したとおり、底板部１６の上面から立設されているが、底板部１６の側面に接合されていてもよい。
内側支持板部１２及び外側支持板部１４の対向する各主面（各側面）は、各支持軸６の長手方向と直交する方向（前後方向）に長く、緩やかなアーチ形状の上辺を有する。このように外側支持板部１４の上方端面を上方凸の曲面形状とすることで、外側支持板部１４を用いた足裏マッサージも可能となる。即ち、利用者は、外側支持板部１４の上方端面に足裏を置くことで、球体５とは違った刺激でマッサージを行うことができる。
但し、内側支持板部１２及び外側支持板部１４の各主面（各側面）の形状は図示される形状に制限されない。
【００１４】
内側支持板部１２及び外側支持板部１４は、複数の球体５に挿通され各球体５を回動自在に軸支する棒状の支持軸６を両端で支持する。第一実施形態では、３つの球体５が支持軸６により挿通され回動自在に軸支されることで一つの球体列が形成されており、内側支持板部１２及び外側支持板部１４は３つの球体列を支持する。
また、右足置部１０Ｒ及び左足置部１０Ｌでは、同数の球体列が平面視において各支持軸６の長手方向と直交する方向に並設されている。本実施形態では、右足置部１０Ｒ及び左足置部１０Ｌにはそれぞれ３列の球体列が平面視で前後方向に並設されている。
【００１５】
本実施形態では、内側支持板部１２及び外側支持板部１４は、その対向する二つの主面（側面）で複数の支持軸６を挟持する。但し、内側支持板部１２及び外側支持板部１４における支持軸６の支持構造は限定されない。例えば、内側支持板部１２及び外側支持板部１４の対向面には嵌合孔が穿設されており、この嵌合孔に支持軸６の端を嵌合することにより、内側支持板部１２及び外側支持板部１４は支持軸６を支持することができる。また、内側支持板部１２及び外側支持板部１４の対向面には係止構造が突設されており、その係止構造に支持軸６を係止し下支えさせることで、支持軸６が支持されてもよい。
【００１６】
球体５は、その表面（外周面）に凹部又は凸部のいずれか一方又はその両方が複数設けられた球状体であることが望ましい。これは、凹部又は凸部により足裏の揉み解し効果を増強させることができるからである。また、球体５は、楕円体又は扁球体であってもよい。
本実施形態では、球体５にはゴルフボールが利用される。これにより、ディンプルが設けられた外周面により足裏に適度な刺激を付与することができる。なお、図１などでは、図を見やすくするために、右足置部１０Ｒ及び左足置部１０Ｌの各々において一つの球体５の表面のみにディンプルが図示されており、その他の球体５の表面形状については図示していない。
なお、球体５に使用済みゴルフボールを利用すれば、資源の有効活用に繋がる。
【００１７】
更に、本実施形態では、各支持軸６で軸支される複数の球体５のうち、最内（内側支持板部１２に最も近い位置）に配置される一つの球体５には複数のピン９が打設されている。各ピン９は、半球状の頭部と球体５内に打ち込まれる胴部とを有しており、露出する頭部が球体５の外表面上に一列に並ぶように、配置されている。更に具体的には、各ピン９は、ピン９の頭部を結ぶ平面がその球体５に挿通される支持軸６と直交するように、配置されている。
このピン９の頭部により足裏の揉み解し効果を増強させることができる。また、ピン９を最内の球体５に設けることで、土踏まず部分への刺激を足裏の他の部分よりも強くすることができるため、マッサージ効果を向上させることができる。
但し、本実施形態では、各支持軸６における最内の一つの球体５にのみピン９が設けられているが、最内の球体５を含む複数の球体５にピン９が設けられてもよい。更に言えば、強い刺激を好まない利用者のために、どの球体５にもピン９が設けられなくてもよい。
【００１８】
棒状の支持軸６は、足裏マッサージをする際に掛かる負荷に耐えられる程度の曲げ強度を有する棒状体であればよい。例えば、マッサージ器１が椅子に座った状態で利用されることを想定している場合には、脚全体の荷重に耐えられる曲げ強度があればよい。支持軸６の素材及び断面形状はこのような曲げ強度を有するように決められれば良い。例えば、支持軸６として、直径５ｍｍのステンレス製の中実丸棒が利用される。他の例として、直径１０ｍｍの竹製又はプラスチックの棒が利用される。
【００１９】
また、本実施形態では、各球体５にはその中心を通る貫通孔がそれぞれ穿設されており、支持軸６は、各球体５の貫通孔に挿通されている。更に、本実施形態では、支持軸６の半径方向断面形状は円形状であり、各球体５の貫通孔は、支持軸６の直径と同じ又は若干大きい直径の円形状を有する。これにより、各球体５は、支持軸６を軸に滑らかに回動可能となり、効率的にユーザの足裏を刺激することができる。
【００２０】
但し、各球体５が個々に支持軸６に基づいて回動自在となれば、支持軸６の半径方向断面形状及び各球体５の貫通孔の形状は制限されない。例えば、球体５の貫通孔の形状が正方形であり、支持軸６の半径方向断面形状がその貫通孔の一辺の長さ以下の直径を持つ円形状であってもよい。また、球体５の貫通孔の形状が円形状であり、支持軸６の半径方向断面形状がその貫通孔の直径の長さ以下の長さの対角線を持つ長方形であってもよい。
また、マッサージ器１が有する全ての球体５の中の少なくとも一部の球体５の貫通孔は、球体５の中心を通らずその中心からずれた球体内位置を通るよう形成されていてもよい。このようにすれば、その球体５は、回動に伴い上下動するため、足裏に付与する刺激に強弱をつけることができ、マッサージ効果を増強することができる。
【００２１】
各支持軸６は、球体５間、又は、球体５と内側支持板部１２又は外側支持板部１４との間に隙間を形成可能な長さとされることが好ましい。このような隙間により各球体５が回動し易くなり、足裏へのマッサージ効果を増強させることができる。各支持軸９の長さは、各球体５の回動が促進されつつ、球体５の密度が疎になり過ぎない程度の隙間ができるように設定されることが好ましい。また、球体５間、又は、球体５と内側支持板部１２又は外側支持板部１４との間に、隙間を維持するために、環状部材が支持軸６に挿通されて配置されてもよい。
なお、球体５が回動する際に支持軸６と球体５の貫通孔との摩擦により音が生じたり、スムーズな回動が阻害される場合には、食用油などの潤滑油を支持軸６に少量垂らすことで、そのような問題を解消することができる。
【００２２】
また、各支持軸６は、内側支持板部１２から外側支持板部１４に向かってそれぞれ下方に傾斜した状態で、内側支持板部１２及び外側支持板部１４により支持されることが好ましい。これにより、各球体列の傾斜が足裏の幅方向の起伏、即ち内側の土踏まずから外側に向かう起伏に適合し、足裏を幅方向でその起伏に沿って適切に揉み解すことができる。
【００２３】
更に、本実施形態におけるマッサージ器１は、図１に示されるように、持ち運び時に利用者が把持可能な持ち手部２０を更に有している。
本実施形態では、持ち手部２０は、主に、紐状体と、紐状体が内部に挿通される円筒チューブとから形成されている。紐状体は、両端部にループ（ループ端部２１と表記）がそれぞれ形成されていると共に、紐状体の各端部の中央寄りがループ保持部２２で結束されることにより全体としてもループ状に保持されている。円筒チューブは、紐状体におけるループ状をなす部位に配設されている。
加えて、紐状体の両端部に設けられた各ループ端部２１は、右足置部１０Ｒ及び左足置部１０Ｌにそれぞれ設けられた連結具２５Ｒ及び２５Ｌに挿着されている。このため、ループ端部２１並びに連結具２５Ｒ及び２５Ｌは、持ち手部２０を右足置部１０Ｒ及び左足置部１０Ｌに接続する持ち手接続部と呼ぶことができる。
【００２４】
このように、本実施形態では、持ち手部２０はループ状をなしており、この持ち手部２０が持ち手接続部により右足置部１０Ｒ及び左足置部１０Ｌに接続される。
これにより、利用者は、持ち手部２０のループ内に指を挿入することで、持ち手部２０を容易に把持することができると共に、その持ち手部２０を把持することで、右足置部１０Ｒ及び左足置部１０Ｌを分散させることなくマッサージ器１を容易に持ち運ぶことができる。
【００２５】
また、各ループ端部２１は、上述したとおり、離脱しない範囲で自在に動くことができるように、連結具２５Ｒ及び２５Ｌに挿着されている。このため、紐状体及び円筒チューブ（持ち手部２０）が、右足置部１０Ｒ及び左足置部１０Ｌとの接続箇所から変形容易となっている。結果、図２に示されるように、持ち手部２０のほとんどを、底板部１６Ｒ及び底板部１６Ｌの下面の内側（内側支持板部１２が立設されている側）の下方に敷くことができる。
このため、本実施形態では、持ち手部２０が、右足置部１０Ｒ及び左足置部１０Ｌそれぞれの底板部１６Ｒ及び１６Ｌの各下面における内側支持板部１２Ｒ及び１２Ｌが立設されている側の側縁領域の下方に敷設可能となっていると表記することができる。
【００２６】
このように持ち手部２０を底板部１６の下方に敷設することで、マッサージ器１の中央（右足置部１０Ｒ及び左足置部１０Ｌの内側）を隆起させることができるため、利用者の足裏の土踏まず部分への刺激を一層強めることができ、ひいては、マッサージ効果を向上させることができる。
一方で、土踏まず部分への刺激を強めたくない利用者も存在し得るため、持ち手部２０を敷設することなく、図１に示されるような形態でマッサージ器１を利用してもよい。このように、本実施形態のマッサージ器１によれば、利用者の好みに応じた二つの形態でマッサージ器１を使い分けることができる。
このように本実施形態によれば、右足置部１０Ｒ及び左足置部１０Ｌを分散させずに持ち運び可能とすると共に、持ち手部２０を底板部１６の下方に敷設することで中央をより高くしてマッサージ効果を向上させることができる。
【００２７】
連結具２５Ｒ及び２５Ｌとしては、例えば、ヒートン金具を利用することができる。
但し、持ち手接続部の具体的構造は、このような構造に限定されない。持ち手接続部は、少なくとも、上述したように持ち手部２０を底板部１６の下面に敷設可能であれば、どのような具体的構造を有していてもよい。例えば、紐状体の両端部がループ端部２１を有することなく、紐状体がループ状をなすようにループ保持部２２により保持されており、右足置部１０Ｒ及び左足置部１０Ｌに設けられた連結具２５Ｒ及び２５Ｌとループ保持部２２とが何らかの部材（リング部材など）で連結されてもよい。
【００２８】
また、本実施形態において、連結具２５Ｒ及び２５Ｌは、内側支持板部１２Ｒ又は１２Ｌの後方端面に接続されている。これにより、持ち手部２０を右足置部１０Ｒ及び左足置部１０Ｌとの連結端部で下方に変位させれば、持ち手部２０の大部分を底板部１６の下面に敷設することができる。結果、分散させることなく、右足置部１０Ｒ及び左足置部１０Ｌを左右に並べた状態（図１及び図２に示される状態、開状態と表記される）、並びに、底板部１６Ｒの下面及び底板部１６Ｌの下面を相互に接触させた状態（図示せず、閉状態と表記される）とすることができる。
更に言えば、開状態において、持ち手部２０のループ保持部２２を中心に右足置部１０Ｒと左足置部１０Ｌとの角度（逆ハの字状の開度）を自由に設定することができるため、利用者の嗜好に合わせた姿勢でマッサージを受けることができる。
【００２９】
即ち、持ち手接続部は、右足置部１０Ｒ及び左足置部１０Ｌを少なくとも閉状態及び開状態にすることができるように、持ち手部２０を右足置部１０Ｒ及び左足置部１０Ｌに接続していると表記することもできる。本実施形態では、閉状態として、底板部１６Ｒの下面及び底板部１６Ｌの下面を相互に接触させた状態とすることが可能であるが、接触できずとも底板部１６Ｒの下面及び底板部１６Ｌの下面を相互に対向させた状態を閉状態としてもよい。
これにより、利用者は、マッサージ器１を使用する際には開状態とし、マッサージ器１を持ち運ぶ際には閉状態とすることができる。閉状態は、開状態よりもマッサージ器１全体の大きさが縮小されているため、持ち運び容易となる。
【００３０】
右足置部１０Ｒ及び左足置部１０Ｌを少なくとも閉状態及び開状態にすることができれば、持ち手接続部による接続構造は制限されない。例えば、連結具２５Ｒ及び２５Ｌは、底板部１６Ｒ及び１６Ｌの後方端面の内側（内側支持板部１２が立設されている側）の端部に設けられてもよいし、底板部１６Ｒ及び１６Ｌの内側端面の後方端部に設けられてもよいし、底板部１６Ｒ及び１６Ｌの下面の内側の後方端部に設けられてもよい。更に言えば、持ち手接続部は、持ち手部２０がマッサージ器１の前方に配置されるような位置に設けられてもよい。この場合には、連結具２５Ｒ及び２５Ｌは、底板部１６Ｒ及び１６Ｌの前方端面の内側（内側支持板部１２が立設されている側）の端部に設けられてもよいし、底板部１６Ｒ及び１６Ｌの内側端面の前方端部に設けられてもよいし、底板部１６Ｒ及び１６Ｌの下面の内側の前方端部に設けられてもよい。
【００３１】
持ち手部２０は、底板部１６と同一又は底板部１６よりも厚い厚みを有することが好ましい。持ち手部２０のこのような厚みによれば、利用者が把持し易くなると共に、底板部１６の下方に敷設した場合にマッサージ器１の中央（内側支持板部１２が立設されている側）をより高く隆起させることができるため、マッサージ効果を向上させることができる。
本実施形態では、持ち手部２０を形成する円筒チューブの太さ（断面直径）が底板部１６の厚みと同一又はそれよりも大きくなっていることが好ましい。
但し、持ち手部２０は、底板部１６と同一又は底板部１６よりも厚い厚みを有する部位に加えて、その部位よりも薄い部位を含んでいてもよい。この場合でも、持ち手部２０は、広範囲に亘って、底板部１６と同一又は底板部１６よりも厚い厚みの部位を有することが好ましい。
また、後述するように、持ち手部２０が板状に形成される場合には、持ち手部２０の板厚が底板部１６と同一又は底板部１６よりも厚い部位を広範囲に亘って有していればよい。
【００３２】
［第二実施形態］
第二実施形態に係る足裏マッサージ器について、図３、図４、図５、及び図６を用いて説明する。なお、以下の説明では、第一実施形態と異なる点を中心に説明し、第一実施形態と同一内容については適宜説明を省略する。
図３は、第二実施形態に係るマッサージ器１の斜視図であり、図４は、第二実施形態に係るマッサージ器１の平面図であり、図５は、第二実施形態に係るマッサージ器１の底面図であり、図６は、第二実施形態に係るマッサージ器１の折り畳み状態を示す図である。
【００３３】
第二実施形態に係るマッサージ器１では、右足置部１０Ｒ及び左足置部１０Ｌの底板部１６Ｒ及び１６Ｌの下面間に跨って一連の可撓性シート３０が接合されている。
本実施形態では、可撓性シート３０は、図５に示されるように、底板部１６Ｒ及び１６Ｌの下面全体を覆うように接合されているが、底板部１６Ｒ及び１６Ｌにおける内側支持板部１２Ｒ及び１２Ｌが立設されている側の側縁部の周辺にのみ設けられていてもよい。このようにすれば、右足置部１０Ｒ及び左足置部１０Ｌを分散させることなく連結させることができるだけでなく、マッサージ器１の中央（内側支持板部１２が立設されている側）を外側よりも隆起させることができるため、マッサージ効果を上げることもできる。
【００３４】
可撓性シート３０は、図６に示されるように、底板部１６Ｒの下面と底板部１６Ｌの下面とが可撓性シート３０を介して相互に当接する状態（上述の閉状態）とすることができる柔軟性と、そのような閉状態と開状態とに繰り返し変形させたとしても破断しないような折り曲げに対する耐性とを持つ可撓性素材で形成されることが好ましい。
また、可撓性シート３０と底板部１６の下面との接合手法については限定されない。可撓性シート３０は、接着剤により底板部１６の下面と接着されてもよいし、釘やピン等を打ち付けることにより底板部１６の下面と接合されてもよいし、それら両方で強固に接合されてもよい。
【００３５】
また、第二実施形態では、各支持軸６は、図４に示されるように、右足置部１０Ｒ及び左足置部１０Ｌを左右に並べて置いた状態（開状態）において、平面視でハの字状をなすようにそれぞれ設けられている。具体的には、右足置部１０Ｒの各支持軸６は、平面視において、内側支持板部１２Ｒによる支持位置が外側支持板部１４Ｒによる支持位置よりも前方にくるように、それぞれ支持されており、左足置部１０Ｌの各支持軸６は、平面視において、内側支持板部１２Ｌによる支持位置が外側支持板部１４Ｌによる支持位置よりも前方にくるように、それぞれ支持されている。
これにより、各支持軸６で回動自在に軸支される各球体セットが平面視でハの字状に配列されるため、利用者は、右足裏と左足裏とを足先間を拡げた逆ハの字状態で足を動かすことにより、楽な姿勢でマッサージを行うことができる。
【００３６】
このように第二実施形態によれば、第一実施形態で奏される作用効果に加えて、右足置部１０Ｒ及び左足置部１０Ｌが可撓性シート３０により可動範囲をより制限した状態で繋ぎ止められているため、右足置部１０Ｒ及び左足置部１０Ｌを分散させることなく、より容易に持ち運びや収納を行うことができる。
【００３７】
［変形例］
第一及び第二実施形態におけるマッサージ器１は、上述のような構成に限定されない。
例えば、右足置部１０Ｒ及び左足置部１０Ｌの各々に設けられる支持軸６の数は、上述の例（３本）に限定されず、４本以上であってもよいし、２本若しくは１本であってもよい。また、各支持軸６に軸支される球体５の数も、上述の例（３つ）に限定されず、４つ以上であってもよいし、２つ以下であってもよい。
【００３８】
また、内側支持板部１２及び外側支持板部１４並びに底板部１６の形状や位置関係も上述の例に限定されない。内側支持板部１２及び外側支持板部１４は、底板部１６の上面に立設されておらず、底板部１６の上面よりも高く立設されていればよい。例えば、外側支持板部１４及び内側支持板部１２は、底板部１６の側面に固定されていてもよい。また、底板部１６と内側支持板部１２と外側支持板部１４とは一体形成されていてもよい。
【００３９】
また、持ち手部２０についても上述の例に限定されない。例えば、持ち手部２０は、紐状体と円筒チューブで形成されていなくてもよいし、ループ保持部２２を有していなくてもよい。更に、持ち手部２０は、紐状体のみで形成されてもよいし、板状体で形成されていてもよい。即ち、持ち手部２０は、持ち運び時に利用者に把持可能であって、右足置部１０Ｒ及び左足置部１０Ｌそれぞれの底板部１６の下面における内側支持板部１２が立設されている側の側縁領域の下方に敷設可能な構造を有していればよい。
【００４０】
そのため、マッサージ器１は、少なくとも次のような構成を有していればよい。マッサージ器１は、球体５に挿通され球体５を回動自在に軸支する棒状の支持軸６と、支持軸６を両端で支持する内側支持板部１２及び外側支持板部１４と、内側支持板部１２及び外側支持板部１４が立設された底板部１６と、をそれぞれ有し、別体形成されている右足置部１０Ｒ及び左足置部１０Ｌを備え、右足置部１０Ｒ及び左足置部１０Ｌを相互に繋ぎ止める繋留手段を更に備え、繋留手段は、持ち運び時に利用者に把持可能であって、右足置部１０Ｒ及び左足置部１０Ｌそれぞれの底板部１６の下面における内側支持板部１２が立設されている側の側縁領域の下方に敷設可能な持ち手部２０を含む。
ここでの底板部１６の下面における内側支持板部１２が立設されている側の側縁領域は、持ち手部２０を底板部１６の下面に敷設した際にマッサージ器１の中央（内側支持板部１２が立設されている側）を外側（外側支持板部１４が立設されている側）よりも高く隆起させることができる領域であればよい。
【００４１】
このような構成によれば、右足置部１０Ｒ及び左足置部１０Ｌを分散させずに収納及び持ち運び可能とすると共に、利用時に持ち手部２０を底板部１６の下方に敷設することで、マッサージ器１の中央をより高くしてマッサージ効果を向上させることができる。
【００４２】
また、上述の繋留手段は、第二実施形態における可撓性シート３０のような、右足置部１０Ｒと左足置部１０Ｌとを連結する屈曲自在のヒンジ部であって、右足置部１０Ｒ及び左足置部１０Ｌの底板部１６における内側支持板部１２が立設されている側の側縁部の間に跨設されているヒンジ部を更に含んでいてもよい。第二実施形態のように可撓性シート３０でヒンジ部を実現することで、製造コストを抑えることができるが、可撓性シート３０ではなく、右足置部１０Ｒと左足置部１０Ｌとを蝶番により連結してもよい。このようにヒンジ部を実現する具体的構造は制限されない。
また、繋留手段についても、右足置部１０Ｒと左足置部１０Ｌとを相互に繋ぎ止めることができれば、その具体的構造は制限されない。
【００４３】
更に言えば、上述の繋留手段は、持ち手部２０を含まず、ヒンジ部を含んでいてもよい。例えば、マッサージ器１は、球体５に挿通され球体５を回動自在に軸支する棒状の支持軸６と、支持軸６を両端で支持する内側支持板部１２及び外側支持板部１４と、内側支持板部１２及び外側支持板部１４が立設された底板部１６と、をそれぞれ有し、別体形成されている右足置部１０Ｒ及び左足置部１０Ｌを備え、右足置部１０Ｒ及び左足置部１０Ｌを相互に繋ぎ止める繋留手段を更に備え、繋留手段は、右足置部１０Ｒと左足置部１０Ｌとを連結する屈曲自在のヒンジ部を含み、ヒンジ部は、右足置部１０Ｒ及び左足置部１０Ｌの底板部１６における内側支持板部１２が立設されている側の側縁部の間に跨設されているように構成されてもよい。
このような構成によれば、持ち手部２０を底板部１６の下方に敷設することはできないが、右足置部１０Ｒ及び左足置部１０Ｌを折り畳むことができるため、持ち運び及び収納の利便性は維持することができる。
【００４４】
図７は、第一変形例に係るマッサージ器１の平面図である。具体的には、図７には、第二実施形態に係るマッサージ器１の変形例が示されている。
第二実施形態では、図４に示されるように、右足置部１０Ｒ及び左足置部１０Ｌそれぞれにおいて、内側支持板部１２及び外側支持板部１４が前後方向に並行に延設されており、平面視で内側支持板部１２及び外側支持板部１４に対して斜め（内側前方かつ外側後方）に各支持軸６が並設されていた。
第一変形例では、図７に示されるように、内側支持板部１２及び外側支持板部１４が並行に配設され、かつ、内側支持板部１２及び外側支持板部１４に対して直交するように各支持軸６が並設される一方で、内側支持板部１２及び外側支持板部１４の各ペアの平面視における延設方向が、右足置部１０Ｒ及び左足置部１０Ｌで逆ハの字状をなすように形成されている。
第一変形例においても、第二実施形態と同様に、各支持軸６は、右足置部１０Ｒ及び左足置部１０Ｌを左右に並べて置いた状態（開状態）において、平面視でハの字状をなすようにそれぞれ設けられているため、利用者は、右足裏と左足裏とを足先間を拡げた逆ハの字状態で足を動かすことにより、楽な姿勢でマッサージを行うことができる。
【００４５】
図８は、第二変形例に係るマッサージ器１の平面図である。具体的には、図８には、第二実施形態に係るマッサージ器１の他の変形例が示されている。
第一変形例では、図７に示されるように、右足置部１０Ｒ及び左足置部１０Ｌの各底板部１６が、開状態において、内側の側端面どうしが当接するような形状を有しているため、底板部１６Ｒと底板部１６Ｌとの間に跨設されている可撓性シート３０が開状態において平面視で上方に露出していなかった。
一方で、第二変形例のように、右足置部１０Ｒ及び左足置部１０Ｌの各底板部１６が、開状態において、内側側端面どうしが離間しており、当該開状態において、平面視で可撓性シート３０が上方に露出していてもよい。この場合には、可撓性シート３０の露出部位における底板部１６Ｒと底板部１６Ｌとの間の中間位置に前後方向の折り線を設けることで、右足置部１０Ｒと左足置部１０Ｌとを容易に折り畳むことができる。
【符号の説明】
【００４６】
１  足裏マッサージ器（マッサージ器），５  球体，６  支持軸，９  ピン，１０Ｒ  右足置部，１０Ｌ  左足置部，１２／１２Ｒ／１２Ｌ  内側支持板部，１４／１４Ｒ／１４Ｌ  外側支持板部，１６／１６Ｒ／１６Ｌ  底板部，２０  持ち手部，２１  ループ端部，２２  ループ保持部，２５／２５Ｒ／２５Ｌ  連結具，３０  可撓性シート
【図１】
0003216590.tif 000003
【図２】
0003216590.tif 000004
【図３】
0003216590.tif 000005
【図４】
0003216590.tif 000006
【図５】
0003216590.tif 000007
【図６】
0003216590.tif 000008
【図７】
0003216590.tif 000009
【図８】
0003216590.tif 000010